(57)【要約】【課題】２本の横枝管を排水集合管継手に対向状態または対向状態に近い状態で接続することを可能としつつ、一方の横枝管からの排水が他方の横枝管に流入することを防止でき、限られた配管スペースに対応できるとともに、多層建築物における既存の排水集合管継手を用いることができる排水システムを提供する。【解決手段】室内衛生設備４０からの排水を排水集合管継手１０へと導く横枝管２０が、他の横枝管６０と略対向状態で排水集合管継手１０に接続された多層建築物の排水システム１において、横枝管２０の水平部２１には、両方の側壁を外側に膨出した形状の排水減速部３０が設けられるとともに、この排水減速部３０内には、一方の側壁から少なくとも排水減速部３０の流入口３４と流出口３５との各中心同士を結ぶ仮想線３６にまで達する排水衝突壁３１が突設されたことを特徴とするものである。【選択図】  図１
2008144470.tif 000002
【特許請求の範囲】
【請求項１】
室内衛生設備からの排水を排水集合管継手へと導く横枝管が、他の横枝管と対向状態または対向状態に近い状態で排水集合管継手に接続された多層建築物の排水システムにおいて、
前記横枝管の水平部には、両方の側壁を外側に膨出した形状の排水減速部が設けられるとともに、
この排水減速部内には、一方の側壁から少なくとも該排水減速部の流入口と流出口との各中心同士を結ぶ仮想線にまで達する排水衝突壁が突設されたことを特徴とする排水システム。
【請求項２】
室内衛生設備からの排水を排水集合管継手へと導く横枝管が、他の横枝管と対向状態または対向状態に近い状態で排水集合管継手に接続された多層建築物の排水システムにおいて、
前記横枝管の水平部には、両方の側壁を外側に膨出した形状の排水減速部が設けられるとともに、
この排水減速部内には、一方の側壁から少なくとも該排水減速部の流入口と流出口との各中心同士とを結ぶ仮想線にまで達する第１の排水衝突壁が前記流入口又は流出口の一方寄りに突設され、且つ、他方の側壁から少なくとも前記仮想線にまで達する第２の排水衝突壁が前記流入口又は流出口の他方寄りに突設されたことを特徴とする排水システム。
【請求項３】
前記排水減速部の流入口には、前記排水衝突壁へと排水を導く排水案内手段が設けられたことを特徴とする請求項１に記載の排水システム。
【請求項４】
前記排水減速部の流入口には、該流入口寄りに突設された前記排水衝突壁へと排水を導く排水案内手段が設けられたことを特徴とする請求項２に記載の排水システム。
【請求項５】
前記排水減速部には、その流入口から流出口へと排水を導く排水流路が底面に設けられるとともに、
前記底面は、両側方から前記排水流路に向かって下り勾配とされたことを特徴とする請求項１乃至４のいずれか１つに記載の排水システム。
【請求項６】
前記横枝管には、前記排水集合管継手に接続される側の管端の上部を塞ぐ上部排水阻害障壁が形成されたことを特徴とする請求項１乃至５のいずれか１つに記載の排水システム。
【請求項７】
請求項１乃至６のいずれか１つに記載の排水システムに用いられる排水減速部を備えたことを特徴とする排水減速部材。
【発明の詳細な説明】
【技術分野】
【０００１】
本発明は、多層建築物の排水立て管に対して各階ごとに介設された排水集合管継手と、この排水集合管継手に複数本接続された横枝管とを備えた排水システム、及び、この排水システムに用いられる排水減速部材に関する。
【背景技術】
【０００２】
集合住宅、ホテル、および、病院などの多層建築物においては、排水のために、各階を縦方向に貫いた排水立て管が配管されている。また、この排水立て管には各階ごとに排水集合管継手が介設され、それぞれの排水集合管継手に複数本の横枝管が接続された構造となっている。例えば、多層建築物に使用された場合、横枝管は、一端が住居内に設置されているトイレ、風呂、流し、および、洗面台などの室内衛生設備の排水管に接続され、また、他端が上記した排水集合管継手に接続されており、室内衛生設備からの排水を排水集合管継手まで流すようにされている。
【０００３】
また、このような排水集合管継手には複数本の横枝管の管口が略同じ高さで接続され、また、それらのうちの２本の横枝管が略対向状態（相互の管口が対峙した状態）で接続されることも少なくない。このような接続状態で、トイレ排水などの勢いの強い排水が一方の横枝管から排水集合管継手へと流れると、排水の勢いが強いことから、排水が排水集合管継手を飛び越して対向する他方の横枝管内に流入してしまうことがある。トイレ排水中には当然のことながら汚物が多量に含まれているため、トイレ排水が他方の横枝管内に流入したのち排水集合管継手に流れ落ちずそのまま残存すると、最悪の場合、この他方の横枝管から屋内へと悪臭が上がってくるといった問題があった。
【０００４】
この対向する横枝管に勢いの強い排水が流入する仕組みについて、トイレ排水の２つの具体例を用いて説明する。
【０００５】
まず、図１０に示されるような壁排水式のトイレ１４０は、壁裏の第１屈曲部１２４によって排水を落下させた後、床下の第２屈曲部１２５によって排水を水平方向に曲げて排水集合管継手１１０へと導くといった方式をとっている。このトイレ配管の排水は、第１屈曲部１２４での落下によって水勢が強くなった後、第２屈曲部１２５の内壁の曲面に沿って流れてしまい、強い水勢によって、図中矢符で示すように、上方向へとジャンプしてしまう。また、壁排水式のトイレ配管は上述したように２つの屈曲部を有しており、第２屈曲部１２５から排水集合管継手１１０までの距離が短いため、後述する床排水式のトイレ配管（図１１参照）より水平部１２１が短くなってしまうことが多い。従って、上記のようにジャンプした排水が水平部１２１の管底に着地することなく排水集合管継手１１０を飛び越えてしまい、対向する横枝管１６０に流入してしまっていた。
【０００６】
また、図１１に示されるような床排水式のトイレ１４０には、サイフォン式と呼ばれる方式が一般に用いられており、この方式においては排水の勢いが強くなるという特徴を有している。このトイレ排水は水勢が極めて強いため、対向する横枝管１６０の管口まで排水が到達して内部に流入したり、図中矢符で示すように、跳ねて一部が横枝管１６０の中に流入したりしてしまっていた。
【０００７】
そこで、このような対向する横枝管への排水の流入を防止するための排水集合管継手が特許文献１に提案されている。この排水集合管継手は、２つの管口を直交する向きに設けるとともに、そのうちの一方の管口に一体的にエルボー継手を設けるというものである。この発明においては、排水集合管継手に接続された２つの横枝管が対向しないため、トイレ排水などの勢いの強い排水が一方の横枝管から他方の横枝管内に流入するといったことがない。
【特許文献１】特開２００４−８４３９４号公報
【発明の開示】
【発明が解決しようとする課題】
【０００８】
しかしながら、多層建築物においては、排水集合管継手を設置するための配管スペースは限られており、上記した排水集合管継手は一体的にエルボー継手を有しその分体積が大きくならざるを得ないことから、配管スペースに収まりきらないという問題があった。
【０００９】
また、このような排水集合管継手を製造する際には、排水集合管継手とエルボー継手とを一体的に成形するため、複雑な形状の金型が必要となってしまい、製造コストが増加するといった問題があった。
【００１０】
本発明は係る実情に鑑みてなされたもので、その目的は、２本の横枝管を排水集合管継手に対向状態または対向状態に近い状態で接続することを可能としつつ、一方の横枝管からの排水が他方の横枝管に流入することを防止でき、限られた配管スペースに対応できるとともに、多層建築物における既存の排水集合管継手を用いることができる排水システム、及び、この排水システムに用いられる排水減速部材を提供することにある。
【課題を解決するための手段】
【００１１】
上記課題を解決するため、本発明の排水システムは、室内衛生設備からの排水を排水集合管継手へと導く横枝管が、他の横枝管と対向状態または対向状態に近い状態で排水集合管継手に接続された多層建築物の排水システムにおいて、前記横枝管の水平部には、両方の側壁を外側に膨出した形状の排水減速部が設けられるとともに、この排水減速部内には、一方の側壁から少なくとも該排水減速部の流入口と流出口との各中心同士を結ぶ仮想線にまで達する排水衝突壁が突設されたことを特徴とする。
【００１２】
ここで、水平部とは、横枝管のうち略水平となっている部分であり、実際は、排水集合管継手に向かって多少の下り勾配が設けられている。
【００１３】
このような本発明によれば、水平部には両方の側壁を外側に膨出した形状の排水減速部が設けられるとともに、この排水減速部内には一方の側壁から少なくとも該排水減速部の流入口と流出口との各中心同士を結ぶ仮想線にまで達する排水衝突壁が突設されたものであるから、水勢の強い排水は排水減速部内の壁面や排水衝突壁に衝突し、水勢が弱められる。したがって、排水減速部から排出された排水が排水集合管継手を飛び越えて対向する横枝管に侵入するといったことを抑制することができる。
【００１４】
また、上記したように、排水は、排水減速部によって、水勢が弱められて排水減速部の流出口から排出されるが、水勢の強い排水が次々と排水減速部内に流入してくるため、排水減速部で排水の流れが停滞してしまい、横枝管内が満水状態となってしまう。しかしながら、排水減速部は、両方の側壁を外側に膨出した形状とされ容積が大きくなっているため、停滞した排水を排水減速部内に貯水することができ、室内衛生設備の排水トラップの位置まで横枝管を満水状態にすることがない。したがって、横枝管内が満水状態となって、室内衛生設備の排水トラップにまで満水の排水が達してしまい、サイフォン現象によってこの排水トラップの封水までも排水してしまうといったことがない。
【００１５】
また、排水衝突壁は、排水減速部内に一方の側壁から少なくとも該排水減速部の流入口と流出口との各中心同士を結ぶ仮想線にまで達するように突設されているので、流入口から排水減速部内に流入した排水は、大半が排水減速部内の排水衝突壁に衝突することとなる。したがって、排水減速部内に流入した排水が、排水減速部内で壁面や排水衝突壁に衝突せずに流出口へと直接流れることが抑えられ、水勢の強いまま流出口から排出されにくくなる。
【００１６】
また、本発明の排水システムは、室内衛生設備からの排水を排水集合管継手へと導く横枝管が、他の横枝管と対向状態または対向状態に近い状態で排水集合管継手に接続された多層建築物の排水システムにおいて、前記横枝管の水平部には、両方の側壁を外側に膨出した形状の排水減速部が設けられるとともに、この排水減速部内には、一方の側壁から少なくとも該排水減速部の流入口と流出口との各中心同士とを結ぶ仮想線にまで達する第１の排水衝突壁が前記流入口又は流出口の一方寄りに突設され、且つ、他方の側壁から少なくとも前記仮想線にまで達する第２の排水衝突壁が前記流入口又は流出口の他方寄りに突設されたことを特徴とする。
【００１７】
このような本発明によれば、水平部には両方の側壁を外側に膨出した形状の排水減速部が設けられるとともに、この排水減速部内には第１の排水衝突壁と第２の排水衝突壁とが突設されたものであるから、水勢の強い排水は排水減速部内の壁面や第１及び第２の排水衝突壁に衝突し、水勢を著しく弱めることができる。したがって、排水減速部から排出された排水が排水集合管継手を飛び越えて対向する横枝管に侵入するといったことを抑制することができる。
【００１８】
また、上記したように、排水は、排水減速部によって、水勢が弱められて排水減速部の流出口から排出されるが、水勢の強い排水が次々と排水減速部内に流入してくるため、排水減速部で排水の流れが停滞してしまい、横枝管内が満水状態となってしまう。しかしながら、排水減速部は、両方の側壁を外側に膨出した形状とされ容積が大きくなっているため、停滞した排水を排水減速部内に貯水することができ、室内衛生設備の排水トラップの位置まで横枝管を満水状態にすることがない。したがって、横枝管内が満水状態となって、室内衛生設備の排水トラップにまで満水の排水が達してしまい、サイフォン現象によってこの排水トラップの封水までも排水してしまうといったことがない。
【００１９】
また、第１及び第２の排水衝突壁は、排水減速部内に一方又は他方の側壁から少なくとも該排水減速部の流入口と流出口との各中心同士を結ぶ仮想線にまで達する位置まで形成されているので、流入口から排水減速部内に流入した排水は、大半が排水減速部内の第１及び第２の排水衝突壁に衝突することとなる。したがって、排水減速部内に流入した排水が、排水減速部内で壁面や第１及び第２の排水衝突壁に衝突せずに流出口へと直接流れることが抑えられ、水勢の強いまま流出口から排出されにくくなる。
【００２０】
また、前記排水減速部の流入口には、前記排水衝突壁へと排水を導く排水案内手段が設けられたものであってもよい。
【００２１】
また、前記排水減速部の流入口には、該流入口寄りに突設された前記排水衝突壁へと排水を導く排水案内手段が設けられたものであってもよい。
【００２２】
これらの場合、排水減速部の流入口から入ってくる水勢の強い排水が、排水減速部内の壁面や排水衝突壁に衝突せずに、流出口から排出されることがないので、排水減速部による排水の減速の効果を向上させることができる。
【００２３】
また、前記排水減速部には、その流入口から流出口へと排水を導く排水流路が底面に設けられるとともに、前記底面は、両側方から前記排水流路に向かって下り勾配とされたものであってもよい。
【００２４】
この場合、排水減速部内の排水の流量が少なくなったとき、排水減速部内の排水は底面の勾配によって排水流路に向かって流れていき、また、排水流路に沿って流出口から排出されるため、排水が排水減速部内で滞留してしまう虞がない。
【００２５】
また、前記横枝管には、前記排水集合管継手に接続される側の管端の上部を塞ぐ上部排水阻害障壁が形成されていてもよい。
【００２６】
この場合、横枝管には、排水集合管継手に接続される側の管端の上部を塞ぐ上部排水阻害障壁が形成されているので、旋回流となった排水や横枝管の上記管端の上部に達した排水が略対向状態にある横枝管内に侵入することがない。
【００２７】
すなわち、横枝管に排水減速部が設けられることによって、排水減速部の流出口で排水が旋回流となって排出される場合があり、この旋回流となった排水が排水集合管継手で頂点に達してしまうと、排水集合管継手を飛び越えて、略対向状態にある横枝管内に侵入してしまうことがある。しかしながら、横枝管に形成された上部排水阻害障壁に旋回流となった排水が衝突するため、上部排水阻害障壁によって排水が排水集合管継手を飛び越えることを妨げることができ、略対向状態の横枝管内に排水が侵入することを防ぐことができる。
【００２８】
また、本発明の排水減速部材は、上記の排水システムに用いられる排水減速部を備えたことを特徴とするものである。
【発明の効果】
【００２９】
本発明の排水システム、及び、この排水システムに用いられる排水減速部材は、２本の横枝管を排水集合管継手に対向状態または対向状態に近い状態で接続することを可能としつつ、一方の横枝管からの排水が他方の横枝管に流入することを防止でき、限られた配管スペースに対応できるとともに、多層建築物における既存の排水集合管継手を用いることができるといった効果を奏する。
【発明を実施するための最良の形態】
【００３０】
以下、本発明の実施の形態について、図面を参照して説明する。
【００３１】
［実施の形態１］
本発明を床排水タイプのトイレ配管に適用した例について、図１乃至図６に基づいて説明する。
【００３２】
図１（ａ）は本実施の形態における排水システムを示す側面図、図１（ｂ）は排水システムを示す部分断面図、図２は図１に示す排水システムの排水減速部３０を示す断面図、図３は図２に示す排水減速部３０の下半分を示す断面斜視図、図４乃至図６は排水減速部３０の各実施例を示す断面図であり、また、図２及び図４において、それぞれ、（ａ）は水平断面図及び（ｂ）はＡ−Ａ線断面図である。
【００３３】
本実施の形態の排水システム１は、排水集合管継手１０と、対向する２本の横枝管２０、６０とを備えている。
【００３４】
上記排水集合管継手１０は、多層建築物などの各階を縦方向に貫いて配管された排水立て管５０に対して各階ごとに介設されたものである。排水集合管継手１０には後述する横枝管２０、６０が複数本接続されており、そのうち２本の横枝管２０、６０の管口が排水集合管継手１０内で略同じ高さで略対向状態となっている。
【００３５】
上記横枝管２０は、一端が住居内のトイレ、風呂、流し、および、洗面台などの室内衛生設備（本実施の形態においてはトイレ４０）の排水管４１に接続され、他端が排水集合管継手１０に接続されている。また、横枝管２０には、床６１と床スラブ６２との間に水平部２１が形成されている。
【００３６】
なお、横枝管２０には、図７及び図８に示すように、排水集合管継手１０に接続される側の管端の上部を塞ぐ上部排水阻害障壁２２が形成されていてもよい。この場合、旋回流となった排水や横枝管２０の上記管端の上部に達した排水が、排水集合管継手１０を飛び越えて、略対向状態にある横枝管６０内に侵入することがない。
【００３７】
すなわち、横枝管２０に後述する排水減速部３０が設けられることによって、排水減速部３０の流出口３５で排水が旋回流となって排出される場合があり、この旋回流となった排水が排水集合管継手１０で頂点に達してしまうと、排水集合管継手１０を飛び越えて、略対向状態にある横枝管６０内に侵入してしまうことがある。しかしながら、横枝管２０に形成された上部排水阻害障壁２２に旋回流となった排水が衝突するため、上部排水阻害障壁２２によって排水が排水集合管継手１０を飛び越えることを妨げることができ、略対向状態の横枝管６０内に排水が侵入することを防ぐことができる。
【００３８】
また、横枝管２０は、図７及び８に示すように、排水集合管継手１０に接続される側の管端の下部を上部よりも後退させてもよい。上記したように、横枝管２０に上部排水阻害障壁２２が設けられると、横枝管２０の管端の開口が狭くなるため、横枝管２０の水位が上がった際に、排水が横枝管２０内で満水状態となりやすくなる。しかしながら、上記管端の下部を上部よりも後退させることにより、横枝管２０の管端の開口を広げることができ、横枝管２０内が満水状態となるのを抑制することができる。
【００３９】
上記水平部２１は、横枝管２０のうち略水平な状態とされた領域である。また、水平部には、両方の側壁を外側に膨出した形状の排水減速部３０が設けられている。ここで、水平部２１とは、横枝管２０のうち略水平となっている部分であり、実際は、排水集合管継手１０に向かって多少の下り勾配が設けられている。
【００４０】
上記排水減速部３０は、図２及び図３に示されるように、水平部の所定領域における両方の側壁を外側に膨出した形状とされ、また、この排水減速部３０内には、一方の側壁から少なくとも該排水減速部３０の流入口３４と流出口３５との各中心同士を結ぶ仮想線３６にまで達する排水衝突壁３１が突設されたものである。
【００４１】
これにより、排水は、排水減速部３０の流入口３４で拡散して流入し、排水減速部３０内の壁面や排水衝突壁３１に衝突することとなり、排水の水勢が弱まる。したがって、排水減速部３０から排出された排水が排水集合管継手１０を飛び越えて対向する横枝管６０に侵入するといったことを抑制することができる。
【００４２】
また、上記したように、排水は、排水減速部３０によって、水勢が弱められて排水減速部３０の流出口３５から排出されるが、水勢の強い排水が次々と排水減速部３０内に流入してくるため、排水減速部３０で排水の流れが停滞してしまい、横枝管２０内が満水状態となってしまう。しかしながら、排水減速部３０は、両方の側壁を外側に膨出した形状とされ容積が大きくなっているため、停滞した排水を排水減速部３０内に貯水することができ、室内衛生設備の排水トラップの位置まで横枝管２０を満水状態にすることがない。したがって、横枝管２０内が満水状態となって、室内衛生設備の排水トラップにまで満水の排水が達してしまい、サイフォン現象によってこの排水トラップの封水までも排水してしまうといったことがない。
【００４３】
また、排水衝突壁３１は、排水減速部３０内に一方の側壁から少なくとも該排水減速部３０の流入口３４と流出口３５との各中心同士を結ぶ仮想線３６にまで達するように突設されているので、流入口３４から排水減速部３０内に流入した排水は、大半が排水減速部３０内の排水衝突壁３１に衝突することとなる。したがって、排水減速部３０内に流入した排水が、排水減速部３０内で壁面や排水衝突壁３１に衝突せずに流出口３５へと直接流れることが抑えられ、水勢の強いまま流出口３５から排出されにくくなる。
【００４４】
排水減速部３０としては、上記した形状であれば、特に限定するものではなく、図２及び３に示した例に限らず、例えば、図４に示すように、図２及び図３に示す排水減速部３０の両側壁の角部分を滑らかにしたもの、図５に示すように、図４に示す排水減速部３０を水平方向にわずかに回転させた形状とされたもの、または、図６に示すように、図４に示す排水減速部３０の流入口３４と流出口３５との管軸をずらした形状とされたものなども用いることができる。なお、排水減速部３０の側壁は図示したような直線状のものに限らず、例えば、円弧状のものなども用いることができる。
【００４５】
また、排水減速部３０の流入口３４には、前記排水衝突壁３１へと排水を導く排水案内手段３７が設けられたものであってもよい。この場合、排水減速部３０の流入口３４から入ってくる水勢の強い排水が、排水減速部３０内の壁面や排水衝突壁３１に衝突せずに、流出口３５から排出されることがないので、排水減速部３０による排水の減速の効果を向上させることができる。
【００４６】
また、排水減速部３０には、図２乃至図６に示すように、その流入口３４から流出口３５へと排水を導く排水流路３８が底面に設けられるとともに、底面は、両側方から排水流路３８に向かって下り勾配とされたものであってもよい。この場合、排水減速部３０内の排水の流量が少なくなったとき、排水減速部３０内の排水は底面の勾配によって排水流路３８に向かって流れていき、また、排水流路３８に沿って流出口３５から排出されるため、排水が排水減速部３０内で滞留してしまう虞がない。
【００４７】
排水流路３８は、上記のような構造となっていれば、特に限定するものではなく、例えば、図２及び図３に示すような断面円弧状の排水流路３８、または、図４（ｂ）の断面図において排水流路３８を底面の中で最も低くして形成したものなどがあげられる。ここで、図２及び図３に示す排水流路３８は、図２（ａ）において実線で示されており、図２（ｂ）では断面円弧状に形成されている。また、図４に示す排水流路３８は、図４（ａ）において一点鎖線で示されており、図４（ｂ）では図中の矢符で示されている。
【００４８】
なお、本実施の形態では、排水減速部３０を床排水タイプのトイレ配管に適用した例について詳述しているが、この排水減速部３０を壁排水タイプのトイレ配管に用いてもよく、これにより、壁排水タイプのトイレ配管の屈曲部で排水がジャンプして対向する横枝管６０内にこの排水が侵入するといったことも防止することができる。
【００４９】
［実施の形態２］
本発明を床排水タイプのトイレ配管に適用した例について、図９に基づいて説明する。
【００５０】
図９は本実施の形態における排水システムの排水減速部３０を示し、図９（ａ）は排水減速部３０を示す水平断面図であり、図９（ｂ）は排減速部を示すＡ−Ａ線断面図である。
【００５１】
本実施の形態の排水システム１は、排水集合管継手１０と、対向する２本の横枝管２０、６０とを備えている。
【００５２】
なお、本実施の形態の排水システム１は、前述した実施の形態１のものと横枝管２０の水平部２１に設けられた排水減速部３０を除いて同じ構成であるので、同一部材には同一符号を付してその説明を省略し、相違点である排水減速部３０についてのみ説明する。
【００５３】
本実施の形態における排水減速部３０は、図９に示すように、水平部の所定領域における両方の側壁を外側に膨出した形状とされ、また、この排水減速部３０内には、一方の側壁から少なくとも該排水減速部３０の流入口３４と流出口３５との各中心同士とを結ぶ仮想線３６にまで達する第１の排水衝突壁３２が流入口３４又は流出口３５の一方寄りに突設され、且つ、他方の側壁から少なくとも仮想線３６にまで達する第２の排水衝突壁３３が流入口３４又は流出口３５の他方寄りに突設されたものである。
【００５４】
これにより、水勢の強い排水は排水減速部３０内の壁面や第１及び第２の排水衝突壁３２、３３に衝突するため、排水衝突壁を１つだけ設けたものより、その水勢を著しく弱めることができる。したがって、排水減速部３０から排出された排水が排水集合管継手１０を飛び越えて対向する横枝管６０に侵入するといったことを抑制することができる。
【００５５】
また、上記したように、排水は、排水減速部３０によって、水勢が弱められて排水減速部３０の流出口３５から排出されるが、水勢の強い排水が次々と排水減速部３０内に流入してくるため、排水減速部３０で排水の流れが停滞してしまい、横枝管２０内が満水状態となってしまう。しかしながら、排水減速部３０は、両方の側壁を外側に膨出した形状とされ容積が大きくなっているため、停滞した排水を排水減速部３０内に貯水することができ、室内衛生設備の排水トラップの位置まで横枝管２０を満水状態にすることがない。したがって、横枝管２０内が満水状態となって、室内衛生設備の排水トラップにまで満水の排水が達してしまい、サイフォン現象によってこの排水トラップの封水までも排水してしまうといったことがない。
【００５６】
また、第１及び第２の排水衝突壁３２、３３は、排水減速部３０内に一方又は他方の側壁から少なくとも該排水減速部３０の流入口３４と流出口３５との各中心同士を結ぶ仮想線３６にまで達する位置まで形成されているので、流入口３４から排水減速部３０内に流入した排水は、大半が排水減速部３０内の第１及び第２の排水衝突壁３２、３３に衝突することとなる。したがって、排水減速部３０内に流入した排水が、排水減速部３０内で壁面や第１及び第２の排水衝突壁３２、３３に衝突せずに流出口３５へと直接流れることが抑えられ、水勢の強いまま流出口３５から排出されにくくなる。
【００５７】
排水減速部３０としては、上記した形状であれば、特に限定するものではなく、上記図９示した例に限らず、例えば、図４、図５及び図６に示す排水減速部３０に排水衝突壁３１を２つ形成したものなども用いることができる。なお、排水減速部３０の側壁は図示したような直線状のものに限らず、例えば、円弧状のものなども用いることができる。
【００５８】
また、排水減速部３０の流入口３４には、該流入口３４寄りに突設された排水衝突壁３２、３３へと排水を導く排水案内手段３７が設けられたものであってもよい。この場合、排水減速部３０の流入口３４から入ってくる水勢の強い排水が、排水減速部３０内の壁面や第１又は第２の排水衝突壁３２、３３に衝突せずに、流出口３５から排出されることがないので、排水減速部３０による排水の減速の効果を向上させることができる。
【００５９】
また、排水減速部３０には、その流入口３４から流出口３５へと排水を導く排水流路３８が底面に設けられるとともに、前記底面は、両側方から前記排水流路３８に向かって下り勾配とされたものであってもよい。この場合、排水減速部３０内の排水の流量が少なくなったとき、排水減速部３０内の排水は底面の勾配によって排水流路３８に向かって流れていき、また、排水流路３８に沿って流出口３５から排出されるため、排水が排水減速部３０内で滞留してしまう虞がない。
【００６０】
排水流路３８は、上記のような構造となっていれば、特に限定するものではなく、例えば、図９に示すような断面円弧状の排水流路３８、または、実施の形態１の図４（ｂ）の断面図において排水流路３８を底面の中で最も低くして形成したものなどがあげられる。ここで、図９に示す排水流路３８は、図９（ａ）において実線で示されており、図９（ｂ）において断面円弧状に形成されている。また、実施の形態１の図４に示す排水流路３８は、図４（ａ）において一点鎖線で示されており、図４（ｂ）では図中の矢符で示されている。
【００６１】
なお、本実施の形態では、排水減速部３０を床排水タイプのトイレ配管に適用した例について詳述しているが、この排水減速部３０を壁排水タイプのトイレ配管に用いてもよく、これにより、壁排水タイプのトイレ配管の屈曲部で排水がジャンプして対向する横枝管６０内にこの排水が侵入するといったことも防止することができる。
【００６２】
本発明は、上記した各実施の形態に示されるような排水システム１に設けられた排水減速部３０を備えた排水減速部材もその技術範囲に含むものである。
【図面の簡単な説明】
【００６３】
【図１】本発明の実施形態１における排水システムを示し、図１（ａ）は側面図、図１（ｂ）は部分断面図である。
【図２】本発明の実施形態１における排水減速部を示し、図２（ａ）は水平断面図、及び、図２（ｂ）は図２（ａ）におけるＡ−Ａ線断面図である。
【図３】図２に示す排水減速部の下半分を示す断面斜視図である。
【図４】本発明の実施形態１における排水減速部の他の例を示し、図４（ａ）は水平断面図、及び、図４（ｂ）は図４（ａ）におけるＡ−Ａ線断面図である。
【図５】本発明の実施形態１における排水減速部のさらに他の例を示す水平断面図である。
【図６】本発明の実施形態１における排水減速部のさらに他の例を示す水平断面図である。
【図７】本発明の実施形態１における排水システムの他の例を示す部分断面図である。
【図８】図７に示す排水システムの排水減速部及び横枝管の管端を示し、図８（ａ）は斜視図、図８（ｂ）は排水減速部及び横枝管の管端の下半分を示す断面斜視図である。
【図９】本発明の実施形態２における排水減速部を示し、図９（ａ）は水平断面図、及び、図９（ｂ）は図９（ａ）におけるＡ−Ａ線断面図である。
【図１０】従来の壁排水のトイレの配管を示す概略図である。
【図１１】従来の床排水のトイレの配管を示す概略図である。
【符号の説明】
【００６４】
１        排水システム
１０      排水集合管継手
２０      横枝管
２１      水平部
２２      上部排水阻害障壁
３０      排水減速部
３１      排水衝突壁
３２      第１の排水衝突壁
３３      第２の排水衝突壁
３４      排水減速部の流入口
３５      排水減速部の流出口
３６      排水減速部の流入口と流出口との各中心同士を結ぶ仮想線
３７      排水案内手段
３８      排水流路
４０      トイレ
５０      排水立て管
６０      対向する横枝管
【図１】
2008144470.tif 000003
【図２】
2008144470.tif 000004
【図３】
2008144470.tif 000005
【図４】
2008144470.tif 000006
【図５】
2008144470.tif 000007
【図６】
2008144470.tif 000008
【図７】
2008144470.tif 000009
【図８】
2008144470.tif 000010
【図９】
2008144470.tif 000011
【図１０】
2008144470.tif 000012
【図１１】
2008144470.tif 000013